(57)【要約】      （修正有）【課題】乗りかごの奥行方向の寸法が小さい場合や側面パネルの厚さ寸法が大きくなる場合など、顧客の通行に十分な開口面積を確保することが困難な仕様でも、隣接する側面パネルに干渉することなく、救出扉を開閉させることができ、乗客が十分通行可能な開口面積を確保する。【解決手段】乗りかごは、側方の四方向に設けられている側面パネルと、該側面パネルを下部で支持する床と、前記側面パネルの上部に設けられる天井と、前記側方の四方向に設けられている前記側面パネルの少なくとも一部に、非常時に乗客を救出する側部救出口装置とを備えた乗りかごにおいて、前記側部救出口装置は、水平方向に移動可能で、かつ、水平移動後に救出扉を開閉させるために回転可能に設けられた移動手段を備え、前記移動手段は、非常時には、前記救出扉が、乗りかご内を水平方向に移動した後に回転して開放するように構成されていることを特徴とする。【選択図】図４
2018008809.tif 000002
【特許請求の範囲】
【請求項１】
側方の四方向に設けられている側面パネルと、該側面パネルを下部で支持する床と、前記側面パネルの上部に設けられる天井と、前記側方の四方向に設けられている前記側面パネルの少なくとも一部に、非常時に乗客を救出する側部救出口装置とを備えた乗りかごにおいて、
前記側部救出口装置は、水平方向に移動可能で、かつ、水平移動後に救出扉を開閉させるために回転可能に設けられた移動手段を備え、前記移動手段は、非常時には、前記救出扉が、乗りかご内を水平方向に移動した後に回転して開放するように構成されていることを特徴とする乗りかご。
【請求項２】
前記移動手段はリンク機構から成り、該リンク機構は、前記救出扉を支持する少なくとも２枚のリンクバーと、それぞれの前記リンクバー同士、前記リンクバーと前記救出扉、前記リンクバーと前記床を繋ぐ回転可能な軸とから構成されていることを特徴とする請求項１に記載の乗りかご。
【請求項３】
前記救出扉は、該救出扉を回転させても、隣接する前記側面パネルに該救出扉が干渉しない位置まで水平移動することを特徴とする請求項１又は２に記載の乗りかご。
【請求項４】
前記リンク機構は、前記救出扉の戸閉時には、その投影面積が前記側面パネルの断面に収まる大きさとし、前記乗りかごの前後及び左右方向に対しては、前記側面パネルの表面から外に出張らない大きさであることを特徴とする請求項２に記載の乗りかご。
【請求項５】
前記救出扉は、その上部が前記リンク機構の前記軸を介して前記天井に回転可能に固定され、その下部が前記リンク機構の前記軸を介して前記床に回転可能に固定されていることを特徴とする請求項４に記載の乗りかご。
【請求項６】
前記救出扉は、水平移動後に、乗客が乗り降りする前記乗りかごの出入口側に回転して開くことを特徴とする請求項５に記載の乗りかご。
【請求項７】
前記救出扉及び前記側面パネルは、一層構造又は二層構造となっていることを特徴とする請求項１乃至６のいずれか１項に記載の乗りかご。
【請求項８】
昇降路内を昇降する乗りかご及びつり合いおもりと、該乗りかご及びつり合いおもりを吊持する主ロープと、該主ロープが巻き掛けられるシーブを有する巻上機とを備え、前記巻上機のシーブが回転することで前記主ロープが駆動され、前記乗りかご及びつり合いおもりが互いに反対に前記昇降路内を昇降するエレベーター装置において、
前記乗りかごは、側方の四方向に設けられている側面パネルと、該側面パネルを下部で支持する床と、前記側面パネルの上部に設けられる天井と、前記側方の四方向に設けられている前記側面パネルの少なくとも一部に、非常時に乗客を救出する側部救出口装置とを備え、
前記側部救出口装置は、水平方向に移動可能で、かつ、水平移動後に救出扉を開閉させるために回転可能に設けられた移動手段を備え、前記移動手段は、非常時には、前記救出扉が、乗りかご内を水平方向に移動した後に回転して開放するように構成されていることを特徴とするエレベーター装置。
【発明の詳細な説明】
【技術分野】
【０００１】
本発明は乗りかご及びエレベーター装置に係り、特に、非常時に、エレベーター装置の乗りかご内部に閉じ込められた客を救出するため、側面パネルに側部救出口が設けられているものに好適な乗りかご及びエレベーター装置に関する。
【背景技術】
【０００２】
エレベーター装置の乗りかごには、停電などの非常時に、階床の途中でエレベーター装置が停止した際、停止しているエレベーター装置の乗りかご内部に閉じ込められた客を、隣接するエレベーター装置に移動して救出するため、乗りかごの側面パネルに側部救出口が設けられているものがある。
【０００３】
このようなエレベーター装置の乗りかごの側部救出口は、特許文献１及び特許文献２に示すように、平常時は側面パネルの一部として機能している救出扉が、非常時には、救出扉の端部に設けられた回転軸を中心にして回転することにより開閉する構造が一般的である。
【０００４】
また、乗りかごの側部救出口は、乗りかご内に閉じ込められた乗客が、側部救出口の救出扉を開けて側部救出口を通り、隣接するエレベーター装置の乗りかごに移動できるようにするため、乗客が十分通行可能な開口面積を確保している必要がある。
【先行技術文献】
【特許文献】
【０００５】
【特許文献１】特開平５−１８６１５１号公報
【特許文献２】特開平６−１１５８４２号公報
【発明の概要】
【発明が解決しようとする課題】
【０００６】
上述した特許文献１及び特許文献２に記載されているように、回転軸を中心に救出扉が回転して開閉する構造の側部救出口の場合、乗客が通行する開口面積は、回転した救出扉と、この救出扉に隣接する側面パネルとの距離によって確保される。
【０００７】
そのため、顧客要求などにより、乗りかごの奥行方向の寸法が小さい場合や側面パネルの乗りかご内面側に厚さ寸法の大きい意匠材を取り付けるなど、側面パネルの厚さ寸法が大きくなる場合には、側部救出口の救出扉と、この救出扉に隣接する側面パネルとの距離が近くなり、結果として、乗客が通行するのに十分な開口面積を確保することが困難となる。
【０００８】
また、上記した課題を解決するためには、救出扉の回転中心となる回転軸を、通常よりも救出扉の端部側に設けることが考えられるが、回転軸を救出扉の端部側に設けようとすると、救出扉を開閉させる際に、救出扉と、この救出扉に隣接する側面パネルとが干渉してしまうという課題がある。
【０００９】
本発明は上述した点に鑑みなされたもので、その目的とするところは、乗りかごの奥行方向の寸法が小さい場合や側面パネルの厚さ寸法が大きくなる場合など、顧客の通行に十分な開口面積を確保することが困難な仕様でも、隣接する側面パネルに干渉することなく、救出扉を開閉させることができ、乗客が十分通行可能な開口面積を確保することができる乗りかご及びエレベーター装置を提供することにある。
【課題を解決するための手段】
【００１０】
本発明の乗りかごは、上記目的を達成するために、側方の四方向に設けられている側面パネルと、該側面パネルを下部で支持する床と、前記側面パネルの上部に設けられる天井と、前記側方の四方向に設けられている前記側面パネルの少なくとも一部に、非常時に乗客を救出する側部救出口装置とを備えた乗りかごにおいて、前記側部救出口装置は、水平方向に移動可能で、かつ、水平移動後に救出扉を開閉させるために回転可能に設けられた移動手段を備え、前記移動手段は、非常時には、前記救出扉が、乗りかご内を水平方向に移動した後に回転して開放するように構成されていることを特徴とする。
【００１１】
また、本発明のエレベーター装置は、上記目的を達成するために、昇降路内を昇降する乗りかご及びつり合いおもりと、該乗りかご及びつり合いおもりを吊持する主ロープと、該主ロープが巻き掛けられるシーブを有する巻上機とを備え、前記巻上機のシーブが回転することで前記主ロープが駆動され、前記乗りかご及びつり合いおもりが互いに反対に前記昇降路内を昇降するエレベーター装置において、前記乗りかごは、上記構成の乗りかごとしたことを特徴とする。
【発明の効果】
【００１２】
本発明によれば、乗りかごの奥行方向の寸法が小さい場合や側面パネルの厚さ寸法が大きくなる場合など、顧客の通行に十分な開口面積を確保することが困難な仕様でも、隣接する側面パネルに干渉することなく、救出扉を開閉させることができ、乗客が十分通行可能な開口面積を確保することができる。
【図面の簡単な説明】
【００１３】
【図１】本発明のエレベーター装置の実施例１の全体概略構成を示す側断面図である。
【図２】本発明の乗りかごの実施例１を示す斜視図である。
【図３】図２における側部救出口装置が閉じている状態を示す図２のＡ−Ａ線に沿った断面図である。
【図４】図２における側部救出口装置が開いている途中の状態を示す図２のＡ−Ａ線に沿った断面図である。
【図５】図２における側部救出口装置が開いている状態を示す図２のＡ−Ａ線に沿った断面図である。
【図６】本発明の乗りかごの実施例１に採用されるリンク機構が、側部救出扉と床に接続されている一形態を示す図である。
【図７】本発明の乗りかごの実施例２における側部救出口装置が閉じている状態を示す図３に相当する図である。
【図８】本発明の乗りかごの実施例２における側部救出口装置が開いている途中の状態を示す図４に相当する図である。
【図９】本発明の乗りかごの実施例２における側部救出口装置が開いている状態を示す図５に相当する図である。
【発明を実施するための形態】
【００１４】
以下、図示した実施例に基づいて本発明の乗りかご及びエレベーター装置を説明する。なお、各図において、同一構成部品には同符号を使用する。
【実施例１】
【００１５】
図１に、本発明のエレベーター装置の実施例１を示す。
【００１６】
該図に示す如く、本実施例のエレベーター装置１は、昇降路２内を昇降する乗りかご３及びつり合いおもり４と、この乗りかご３及びつり合いおもり４を吊持する主ロープ５と、主ロープ５が巻き掛けられるシーブ６を有する巻上機と、そらせ車７とから概略構成され、巻上機とそらせ車７は昇降路２の上部に配置された機械室８内に設けられていると共に、乗りかご３には、後述する側部救出口装置１７が設けられている。
【００１７】
このように構成されたエレベーター装置１は、巻上機のシーブ６が回転することで主ロープ５が駆動され、乗りかご３及びつり合いおもり４が互いに反対に昇降路２内を昇降する。
【００１８】
なお、図１では、模式的に最下階９と最上階１０のみを示しているが、２階床以上あるものであってもよい。そして、各階床には乗場ドア１１が設けられ、この乗場ドア１１は、乗りかご３が停止した際に、乗りかご３に設けられたドア１２（図２参照）と対向する状態となり、ドア１２と共に開閉する。
【００１９】
図２に、上述したエレベーター装置１に採用される本発明の乗りかご３の実施例１を示す。
【００２０】
該図に示す如く、通常、乗りかご３の上下左右にはガイド装置１３が設けられており、そのガイド装置１３が昇降路２に設置された図示しないガイドレールに係合し、そのガイドレールに沿って乗りかご３が昇降するようになっている。
【００２１】
本実施例の乗りかご３は、上下に長い長方体形状をしており、側方の四方向に設けられる側面パネル１４ａ、１４ｂ、１４ｃ、１４ｄと、これら側面パネル１４ａ、１４ｂ、１４ｃ、１４ｄを下部で支持する床１５と、側面パネル１４ａ、１４ｂ、１４ｃ、１４ｄの上部に設けられる天井１６とを備え、側面パネル１４ａ、１４ｂ、１４ｃ、１４ｄの少なくとも一部（本実施例では側面パネル１４ａ）に、側部救出口装置１７を備えている。
【００２２】
上述した側部救出口装置１７は、停電等によってエレベーター装置の乗りかご３が途中階で停止し、乗りかご３内に乗客が閉じ込められてしまった場合に、隣接するエレベーター装置の乗りかごから、閉じ込められた乗客を救出する際に使用される。
【００２３】
図３乃至図５は、上述した側部救出口装置１７の詳細構成であり、図３は、図２における側部救出口装置１７が閉じている状態、図４は、図２における側部救出口装置１７が開いている途中の状態、図５は、図２における側部救出口装置１７が開いている状態をそれぞれ示す。
【００２４】
該図に示す如く、本実施例の側部救出口装置１７は、側部救出扉１８と、移動手段であるリンク機構１９によって構成されている。このリンク機構１９は、側部救出扉１８を支持する少なくとも２枚のリンクバー２０ａ、２０ｂと、それぞれのリンクバー２０ａ、２０ｂ同士、リンクバー２０ａと側部救出扉１８、リンクバー２０ｂと床１５を繋ぐ回転可能な回転軸２１ａ、２１ｂ、２１ｃとから構成されている。
【００２５】
側部救出口装置１７が閉まっている時（図３の状態）は、側部救出扉１８は、隣接する側面パネル１４ａ、１４ｂと同様、側面パネルの一部として乗りかご３内で機能している。
【００２６】
そして、側部救出扉１８を開く際は、図４に示すように、側部救出扉１８の少なくとも上部、若しくは下部の一方に設けられたリンクバー２０ａ、２０ｂと回転軸２１ａ、２１ｂ、２１ｃとから成るリンク機構１９によって、側部救出扉１８を乗りかご３内に水平方向（図４のＰ方向）に移動させ、側部救出扉１８を回転させても、隣接する側面パネル１４ｂに側部救出扉１８が干渉しない位置（側面パネル１４ａと水平方向に移動した側部救出扉１８との距離（Ｌ）となる位置）まで側部救出扉１８を水平移動させた後、図５に示すように、リンク機構１９を構成する回転軸２１ａ、２１ｂ、２１ｃを中心に側部救出扉１８を、２枚のリンクバー２０ａ、２０ｂが一直線となるように矢印Ｑ方向に回転させて、側部救出扉１８を戸開状態にする。
【００２７】
このように側部救出扉１８が戸開状態になることで、非常時には乗客を通行させることができる。
【００２８】
図６は、リンク機構１９が側部救出扉１８と床１５に接続されている一形態を示すものである。
【００２９】
該図に示す如く、側部救出扉１８の下部は、上部の回転軸２１ｂを側部救出扉１８の下面に、ボルト２３ａ及びナット２３ｂで固定されている側部救出扉１８の部品１８ａを介して、下部の回転軸２１ｃを床１５に、ボルト２４ａ及びナット２４ｂで固定されている床１５の部品１５ａを介してそれぞれ回転可能に固定されている。なお、側部救出扉１８の上部については、上部の回転軸２１ｂを天井１６に回転可能に固定し、下部の回転軸２１ｃを、側部救出扉１８の上部に、回転可能に固定されている。
【００３０】
そして、本実施例のリンク機構１９は、戸閉時には、その投影面積が側面パネル１４ａ、１４ｂ、１４ｃ、１４ｄの断面に収まる大きさ（図６に示すリンク機構（リンクバー２０ａ、２０ｂと回転軸２１ａ、２１ｂ、２１ｃ）１９の収納状態の長さが、側部救出扉１８の水平方向長さ内に収まる大きさ）とし、乗りかご３の前後及び左右方向に対しては、側面パネル１４ａ、１４ｂ、１４ｃ、１４ｄの表面から外に出張らない寸法とする。
【００３１】
このような本実施例の構成とすることにより、乗りかご３の奥行方向の寸法が小さい場合や側面パネル１４ａ、１４ｂ、１４ｃ、１４ｄの厚さ寸法が大きくなる場合など、顧客の通行に十分な開口面積を確保することが困難な仕様でも、隣接する側面パネル１４ａ、１４ｂに干渉することなく、側部救出扉１８を開閉させることができ、乗客が十分通行可能な開口面積を確保することができる。
【実施例２】
【００３２】
図７乃至図９に、本発明の乗りかごの実施例２として、側部救出口装置１７の他の構成を示す。この図７乃至図９は、図３乃至図５に相当するものである。
【００３３】
上述した図３乃至図５に示す実施例１では、側部救出扉１８及び側面パネル１４ａ、１４ｂ、１４ｃ、１４ｄが一層構造のものについて説明したが、本実施例では、側部救出扉及び側面パネルを二層構造としたものである。
【００３４】
即ち、本実施例の乗りかご３は、上下に長い長方体形状をしており、側方の四方向に設けられる内側及び外側の側面パネル１４ａ１及び１４ａ２、１４ｂ１及び１４ｂ２、１４ｃ１及び１４ｃ２、１４ｄ１及び１４ｄ２と、これら側面パネル１４ａ１及び１４ａ２、１４ｂ１及び１４ｂ２、１４ｃ１及び１４ｃ２、１４ｄ１及び１４ｄ２を下部で支持する床１５と、側面パネル１４ａ１及び１４ａ２、１４ｂ１及び１４ｂ２、１４ｃ１及び１４ｃ２、１４ｄ１及び１４ｄ２の上部に設けられる天井１６とを備え、側面パネル１４ａ１及び１４ａ２、１４ｂ１及び１４ｂ２、１４ｃ１及び１４ｃ２、１４ｄ１及び１４ｄ２の少なくとも一部（本実施例では側面パネル１４ａ１及び１４ａ２）に、側部救出口装置１７を備えている。
【００３５】
上記側部救出口装置１７は、内側及び外側の側部救出扉１８ａ１及び１８ａ２と、移動手段であるリンク機構１９によって構成されている。このリンク機構１９は、側部救出扉１８ａ１及び１８ａ２を支持する少なくとも２枚のリンクバー２０ａ、２０ｂと、それぞれのリンクバー２０ａ、２０ｂ同士、リンクバー２０ａと側部救出扉１８ａ１及び１８ａ２、リンクバー２０ｂと床１５を繋ぐ回転可能な回転軸２１ａ、２１ｂ、２１ｃとから構成されている。
【００３６】
側部救出口装置１７が閉まっている時（図７の状態）は、側部救出扉１８ａ１及び１８ａ２は、隣接する側面パネル１４ａ１及び１４ａ２、１４ｂ１及び１４ｂ２と同様、側面パネルの一部として乗りかご３内で機能している。
【００３７】
そして、側部救出扉１８ａ１及び１８ａ２を開く際は、図８に示すように、側部救出扉１８ａ１及び１８ａ２の少なくとも上部、若しくは下部の一方に設けられたリンクバー２０ａ、２０ｂと回転軸２１ａ、２１ｂ、２１ｃとから成るリンク機構１９によって、側部救出扉１８ａ１及び１８ａ２を乗りかご３内に水平方向（図８のＰ方向）に移動させ、側部救出扉１８ａ１及び１８ａ２を回転させても、隣接する側面パネル１４ｂに側部救出扉１８ａ１及び１８ａ２が干渉しない位置（側面パネル１４ａ１及び１４ａ２と水平方向に移動した側部救出扉１８ａ１及び１８ａ２との距離（Ｌ）となる位置）まで側部救出扉１８ａ１及び１８ａ２を水平移動させた後、図９に示すように、リンク機構１９を構成する回転軸２１ａ、２１ｂ、２１ｃを中心に側部救出扉１８ａ１及び１８ａ２を、２枚のリンクバー２０ａ、２０ｂが一直線となるように矢印Ｑ方向に回転させて、側部救出扉１８ａ１及び１８ａ２を戸開状態にする。
【００３８】
なお、側部救出扉１８ａ１と１８ａ２の間、側面パネル１４ａ１と１４ａ２の間、側面パネル１４ｂ１と１４ｂ２の間、側面パネル１４ｃ１と１４ｂｃの間及び側面パネル１４ｄ１と１４ｄ２の間には、両者を支持する支持部材２２が介在されている。
【００３９】
このような本実施例の構成であっても、実施例１と同様な効果を得ることができることは勿論、側部救出扉１８ａ１及び１８ａ２と側面パネル１４ａ１及び１４ａ２、１４ｂ１及び１４ｂ２、１４ｃ１及び１４ｃ２、１４ｄ１及び１４ｄ２が二層構造となっているので、乗りかご３室の気密性が保たれ、遮音性が向上するという効果がある。
【００４０】
なお、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００４１】
１…エレベーター装置、２…昇降路、３…乗りかご、４…つり合いおもり、５…主ロープ、６…シーブ、７…そらせ車、８…機械室、９…最下階、１０…最上階、１１…乗場ドア、１２…ドア、１３…ガイド装置、１４ａ、１４ｂ、１４ｃ、１４ｄ…側面パネル、１４ａ１、１４ｂ１、１４ｃ１、１４ｄ１…内側の側面パネル、１４ａ２、１４ｂ２、１４ｃ２、１４ｄ２…外側の側面パネル、１５…床、１５ａ…床の部品、１６…天井、１７…側部救出口装置、１８…側部救出扉、１８ａ…側部救出扉の部品、１８ａ１…内側の側部救出扉、１８ａ２…外側の側部救出扉、１９…リンク機構、２０ａ、２０ｂ…リンクバー、２１ａ、２１ｂ、２１ｃ…回転軸、２２…支持部材、２３ａ、２４ａ…ボルト、２３ｂ、２４ｂ…ナット。
【図１】
2018008809.tif 000003
【図２】
2018008809.tif 000004
【図３】
2018008809.tif 000005
【図４】
2018008809.tif 000006
【図５】
2018008809.tif 000007
【図６】
2018008809.tif 000008
【図７】
2018008809.tif 000009
【図８】
2018008809.tif 000010
【図９】
2018008809.tif 000011